(57)【特許請求の範囲】
【請求項１】
シャッターカーテンを構成するパイプの端部構造において、
パイプ端部が受け入れられるガイドレール溝部は、建物開口部側に位置し、パイプの直径よりも大きい溝幅を備えた開口溝と、当該開口溝部に対してガイドレール底側に位置する内部溝とからなり、ガイドレール内部の対向状の側壁には、前記開口溝の溝幅を前記内部溝の溝幅よりも狭くするように段部状の被掛止部が形成されており、前記ガイドレール内部の対向状の側壁は、前記開口溝に対応する第１側壁と、当該第１側壁に対してガイドレール底側に位置し、前記内部溝に対応する第２側壁と、からなり、
前記パイプ端部は、パイプの長さ方向に移動可能にガイドレール溝部内に受け入れられており、当該パイプ端部の周面には、少なくともガイドレールの前記第１側壁に対向し、当該パイプの直径よりも大径の拡径部を備えた筒状部材と、前記拡径部に対してガイドレール底側に離間して前記第２側壁に向かって溝幅方向に延出する掛止部と、が形成されており、前記拡径部と前記掛止部は小径部によって離間しており、
シャッターカーテンの昇降時には、前記パイプ端部の前記拡径部が前記第１側壁に接触し、
シャッターカーテンに荷重が作用して前記パイプ端部がガイドレールから抜け出そうとする場合には、前記小径部が前記第１側壁に押し付けられつつ、当該パイプ端部がガイドレールの底から離間する方向へ移動して、当該パイプ端部の前記掛止部が前記被掛止部に引っ掛かるように構成されている、パイプの端部構造。
【請求項２】
前記筒状部材は前記小径部を備えており、当該小径部は、前記拡径部から前記掛止部に向かって外径が縮径しながら延びるテーパ部である、請求項１に記載のパイプの端部構造。
【発明の詳細な説明】
【技術分野】
【０００１】
本発明は、シャッターカーテンを構成するパイプの端部構造に係り、詳しくは、シャッターカーテンの少なくとも一部がパイプから構成されたシャッターにおける、パイプ端部のガイドレールからの抜け出し防止機能および開閉音低減機能を備えたパイプ端部構造に関するものである。
【背景技術】
【０００２】
上下に並列した複数のパイプを、長さ方向に適宜間隔を存して複数のリンクで連結してなる格子状のシャッターカーテンで開口部を開閉するパイプシャッターが知られている。さらに、パイプシャッターの変形として、シャッターカーテンの上部をパイプシャッター、下部をスラットシャッターとしたシャッター装置が存在する（特許文献１）。
【０００３】
このようなシャッターにおいて、パイプの直径は、スラットの厚みよりも小さい寸法を備えており、ガイドレールの開口溝幅は、スラットの厚みよりも大きい寸法を有している。したがって、ガイドレールの開口溝とそれに受け入れられたパイプとの間には、必要以上のクリアランスが形成されることになり、この大きなクリアランスは、パイプ端部のガイドレールからの抜け出しや不快な音の発生原因となる。
【０００４】
また、パイプシャッター（シャッターカーテン全体がパイプ構造からなるパイプシャッターを含む）全般において、ガイドレールに受け入れられたパイプの端部が直接ガイドレールに接触する時の摩擦によって塗装が剥がれて外観を損ねるおそれがあるため、これを避けることが望ましいし、また、開口溝幅とパイプとのクリアランスが大きい場合にはやはりパイプ端部のガイドレールからの抜け出しや不快音の発生が問題となり得る。また、このようなパイプシャッターのシャッターカーテンにおいて、シャッターカーテンに強度を持たせるために、パイプの長さ方向両端部を端リンクで連結する場合がある（特許文献２）。
【特許文献１】特開２００１−１４０５５８号
【特許文献２】特開平７−３２４５７０号
【発明の開示】
【発明が解決しようとする課題】
【０００５】
本発明は、シャッターカーテンの少なくとも一部がパイプから構成されたシャッターにおいて、パイプ端部とガイドレールとのクリアランスが大きい場合に、パイプ端部のガイドレールからの抜け出しを防止し、かつ、開閉音を低減することを目的とする。
【課題を解決するための手段】
【０００６】
本発明が採用した技術手段は、シャッターカーテンを構成するパイプの端部構造において、
パイプ端部が受け入れられるガイドレール溝部は、建物開口部側の開口溝と、当該開口溝部に対してガイドレール底側に位置する内部溝とからなり、ガイドレール内部の対向状の側壁には、前記開口溝の溝幅を前記内部溝の溝幅よりも狭くするように段部状の被掛止部が形成されており、パイプ端部の周面には、少なくともガイドレールの開口溝に対向する拡径部を備えた筒状部材と、前記拡径部に対してガイドレール底側に離間して前記内部溝の対向状の側壁に向かって溝幅方向に延出する掛止部が形成されている、パイプの端部構造、である。
【０００７】
一つの態様では、前記シャッターカーテンは、パイプ構造とスラット構造とを備えており、前記スラット構造のスラットの厚さは前記パイプ構造のパイプの外径よりも大きく、前記開口溝の溝幅は、前記スラット構造のスラットの厚さよりも大きい。一つのより具体的態様では、前記シャッターカーテンは、上側のパイプ構造と下側のスラット構造からなる。
【０００８】
一つの態様では、前記筒状部材は、前記拡径部から前記掛止部に向かって延出する小径部を備えている。より具体的な態様では、小径部は、前記拡径部から前記掛止部に向かって外径が縮径しながら延出するテーパ部である。あるいは、漸次縮径するテーパ部に代えて、前記拡径部から前記掛止部に向かって一定の径の外径を備えた小径部を設けてもよい。
【０００９】
前記掛止部は、前記筒状部材から一体的に形成されてもよく、あるいは、前記筒状部材とは別の部材から形成されてもよい。あるいは、後述するように、端リンクが前記掛止部を形成してもよい。
【００１０】
一つの態様では、各パイプの端部は、前記拡径部に対してガイドレール底側に設けた端リンクで上下方向に互いに連結されている。このものにおいて、当該端リンクの部分が前記掛止部を形成するようにしてもよい。こうすることで、新たな部材を用意して掛止部を形成する必要がないので、部品点数の削減に貢献する。
【００１１】
端リンクを設ける具体的な手段としては、パイプ端部の外周面に端リンクの当接部を設け、上下隣位の端リンクの一方の端リンクを当接部に当接させ、さらに他方の端リンクを一方の端リンクに当接させた状態で、２枚の端リンクを挟むようにキャップをパイプ端部に被着することが例示される。このものにおいて、端リンクの前記当接部は、筒状部材の部分（例えば上記小径部の端部）であってもよい。あるいは、端リンクの前記当接部は、筒状部材とは別部材の短筒体から構成されていてもよい。これらの態様においても、掛止部は、筒状部材の部分から構成することもでき、あるいは、短筒体の部分から構成することもでき、または、端リンクの部分から構成することもできる。また、キャップは、端リンクの固定、シャッターカーテン片寄り時のパイプ端部の金属接触の防止の機能を備えているが、このキャップの部分が前記掛止部を形成してもよい。
【００１２】
パイプ端部に装着される各部材、具体的には、筒状部材、短筒体、キャップは好ましくは樹脂製である。
【発明の効果】
【００１３】
本発明では、パイプ端部において開口溝に位置して設けた拡径部が、パイプ周面とガイドレール側壁とのクリアランスを狭めるので、パイプ端部の溝幅方向の移動を小さくすることができ、パイプ端部とガイドレールとが当接することによる開閉音を低減することができる。特に、樹脂製の拡径部を採用することで、開閉音をさらに低減することができる。
【００１４】
本発明では、パイプ端部側に掛止部を、ガイドレール側に被掛止部を設けたので、シャッターカーテンに荷重が作用してパイプ端部がガイドレールから抜け出そうとする場合には、パイプ端部の掛止部がガイドレールの被掛止部に引っ掛かって、パイプ端部の抜け出しを防止する。また、被掛止部はガイドレール内部の側壁の形状によって形成されているので、被掛止部のために別部材を用意する必要がない。
【００１５】
特に、前記シャッターカーテンは、パイプ構造とスラット構造とを備えており、前記スラット構造のスラットの厚さは前記パイプ構造のパイプの外径よりも大きく、前記開口溝の溝幅は、前記スラット構造のスラットの厚さよりも大きいものにおいては、パイプ端部とガイドレールとの間に大きなクリアランスが形成されるため、上記効果は極めて有用である。
【００１６】
本発明では、パイプ端部は拡径部を介してガイドレールに接触するため、パイプ端部の周面が直接ガイドレールに接触することはなく、パイプの端部が直接ガイドレールに接触して塗装が剥がれて外観を損ねるようなことはない。さらに、前記筒状部材は、前記拡径部から前記掛止部に向かって延出する小径部を備えているものでは、シャッターカーテンが片寄っても、ガイドレールに接触し得るパイプ端部の周面は小径部に被覆されているので、パイプの端部が直接ガイドレールに接触して塗装が剥がれて外観を損ねるようなことはない。また、小径部のガイドレール底側の端部に位置して掛止部を設けることで、溝幅方向のより小さい延出寸法で良好に掛止部を形成することができ、コンパクトなパイプ端部構造を提供することができる。
【発明を実施するための最良の形態】
【００１７】
本発明の実施の形態を図面に基づいて説明する。図１は、本発明が適用されるシャッター装置の正面図であり、当該シャッター装置のシャッターカーテンは、上側がパイプ構造のシャッターカーテン１、下側がスラット構造のシャッターカーテン２、からなり、建物開口部の開放時には、該開口部の上方に設けられたシャッターケース３内に収納された巻取りドラム４に巻き取られ、該開口部の閉鎖時には、該開口部左右のガイドレール５に両端が案内されて下降して開口部を閉鎖するように構成されている。
【００１８】
パイプ構造のシャッターカーテン１は、左右方向に水平に延出する複数の長尺パイプ６を上下方向に間隔を存して平行状に配設すると共に、上下方向に隣位のパイプ６同士を、リンク７を介して連設するようになっている。後述するように、ガイドレール５内に受け入れられる複数のパイプ６の長さ方向両端部は、端リンク１２で上下方向に互いに連結されている。シャッターカーテン１は、図示しない複数の吊元側スラットを介して巻取りドラム４に連結されている。
【００１９】
スラット構造のシャッターカーテン２は、左右方向に水平に延出する複数枚のスラット９を上下方向にインターロック結合して連設して形成されている。パイプ構造のシャッターカーテン１の下端のパイプ６には継板８が連結されており、パイプ構造のシャッターカーテン１は継板８を介してスラット構造のシャッターカーテン２と連結されている。
【００２０】
以下に、本発明の要部をパイプ６の一方の端部を示す図面に基づいて説明するが、本発明は、左右のガイドレール５内に受け入れられるパイプ６の両方の端部構造に関するものである。
【００２１】
図４に示すように、ガイドレール５は、対向状の側部５０，５１と底部５２とから断面視略コ字形状に形成されており、ガイドレール５の内部の壁面は、対向状の側壁５０Ａ，５１Ａ、対向状の側壁５００Ａ，５１０Ａ、底壁５２Ａ、から構成されている。ガイドレール５の溝部は、対向状の側壁５０Ａ，５１Ａ間の内部溝Ｇ１と、側壁５００Ａ，５１０Ａ間の開口溝Ｇ２と、からなる。側壁５００Ａ，５１０Ａ間の間隔が、開口溝Ｇ２の溝幅、すなわち、ガイドレール５の開口溝幅Ｗを決定している。
【００２２】
開口溝Ｇ２の溝幅、すなわち、開口溝幅Ｗは、内部溝Ｇ１の溝幅よりも小さい。対向状の側壁５０Ａ，５１Ａの建物開口部側（底壁５２Ａから離間する側）には、対向する側壁５０Ａ，５１Ａ間の間隔（すなわち、内部溝Ｇ１の溝幅）を狭めて対向状の側壁５００Ａ，５１０Ａを形成するように段部５３が形成されている。
【００２３】
図示の態様では、側部５０，５１は中空状で厚みを備えており、側部５０，５１の建物開口部に面する側が前壁５０Ｂ，５１Ｂとなっている。側壁５００Ａ，５１０Ａには消音材１６が設けてあるが、消音材１６は任意であって、特に、後述する拡径部１０Ａ，１０Ａ´が樹脂製の場合には、必ずしも消音材１６を設ける必要はない。
【００２４】
上側のシャッターカーテン１を形成するパイプ６の直径は、下側のシャッターカーテン２を形成するスラット９の厚みよりも小さい寸法を備えており、ガイドレール５の開口溝幅Ｗは、スラット９の厚みよりも大きい寸法を有している。したがって、ガイドレール５の開口溝Ｇ２を形成する側壁５００Ａ，５１０Ａとパイプ６との間には、必要以上のクリアランスが形成されることになり、この大きなクリアランスは、パイプ６の端部のガイドレール５からの抜け出しや不快な音の発生原因となり得る。
【００２５】
本発明の第１の実施形態では、パイプ６の端部のガイドレール５の溝部Ｇ１，Ｇ２内に受け入れられる部位には、樹脂製の筒状部材１０が外装されている。図６に示すように、筒状部材１０は、ガイドレール５の側壁５００Ａ，５１０Ａに対向する拡径部１０Ａと、拡径部１０Ａからガイドレール５の底側に向かって漸次縮径することでテーパ状の外周面を備え、全体として円錐台状に形成されたテーパ部１０Ｂと、テーパ部１０Ｂに対してガイドレール底側に形成した端リンク装着部１０Ｃと、端リンク装着部１０Ｃからガイドレール底側に向かってパイプ６の端縁にまで延出するキャップ被装着部１０Ｄと、からなる。
【００２６】
図２、図３に示すように、端リンク１２は上下に隣位のパイプ６の端部同士を順次上下方向に連結するように設けられる。端リンク１２は、プレート状の長尺部材であり、上下にパイプ６の端部を挿通させる挿通孔が形成されている。また、端リンク装着部１０Ｃは端リンク１２の２枚分の幅寸法を備えており、上下隣位の端リンク１２の上側の端リンクの下方の挿通孔と下側の端リンクの上方の挿通孔が共通のパイプ６を挿通させて、共通の端リンク装着部１０Ｃで重ね合わせるように装着される。
【００２７】
端リンク装着部１０Ｃとキャップ被装着部１０Ｄは略同じ外径を備えており、また、テーパ部１０Ｂの底部側の端部の外径は、端リンク装着部１０Ｃの外径よりも若干大きい寸法を備えている。端リンク１２を端リンク装着部１０Ｃに外装させ、キャップ１１をキャップ被装着部１０Ｄに被着することで、テーパ部１０Ｂのガイドレール底側の端部（当接部）とキャップ１１との間に挟むようにして端リンク１２が連結される。キャップ１１はリベット１５を用いて、キャップ被装着部１０Ｄ、パイプ６に固定される。図示の例では、キャップ１１をパイプ６の端部に被せて外周面からリベット１５を用いて固定しているが、キャップ１１の内側に嵌入部を形成し、パイプ６の端部の中空部に当該嵌入部を嵌め込むようにして固定してもよい。
【００２８】
パイプ６の端部には、側壁５００Ａ，５１０Ａ間の開口溝Ｇ２に対応して拡径部１０Ａが外装されているので、側壁５００Ａ，５１０Ａとパイプ６との間のクリアランスが拡径部１０Ａによって狭められ、パイプ６の溝幅方向の揺れ幅が小さくなるので、発生音も低減される。さらに、筒状部材１０は樹脂製なので、仮に、消音部材１６を側壁５０Ａ，５１Ａに設けない場合であっても、パイプ６とガイドレール５の側壁５００Ａ，５１０Ａが直接接触して異音を生成させることを防止できる。
【００２９】
図示の例では、拡径部１０Ａに加えて、筒状部材１０のテーパ部１０Ｂがさらにパイプ６の端部の周面を覆っているので、シャッターカーテン１が片寄りした場合であっても、パイプ６の端部の周面が直接ガイドレール５（側壁５０Ａ，５１Ａ）に接触することが防止される。また、キャップ１１も好ましくは樹脂製であり、シャッターカーテン１が片寄りした場合には、シャッターカーテン端部はキャップ１１を介してガイドレール５の側壁５０Ａ，５１Ａや底壁５２に接触するので、金属同士が直接接触して異音が発生することがない。
【００３０】
ガイドレール５の内部において、対向状の側壁５０Ａ，５１Ａと側壁５００Ａ，５１０Ａとの間に形成された段部５３は、パイプ６の端部の抜け出し防止用の被掛止部として機能する。一方、パイプ６の端部において、筒状部材１０のテーパ部１０Ｂのガイドレール底側の端部に位置する端リンク１２の部分が、内部溝Ｇ１の対向状の側壁５０Ａ，５１Ａに向かって溝幅方向に延出する掛止部１３を形成している。
【００３１】
シャッターカーテンに荷重が加わって、シャッターカーテン１を構成するパイプ６の端部がガイドレール５から抜け出そうになる時には、パイプ６の端部（筒状部材１０）をいずれかのガイドレール５内部の側壁５０Ａ，５００Ａ、あるいは、５１Ａ，５１０Ａに押し付けるような力が作用し、そのような力が作用しつつパイプ６の端部がガイドレール５の底から離間する方向（すなわち、建物開口部側）へ移動すると、パイプ６の端部に形成された掛止部１３が段部５３からなる被掛止部に引っ掛かって、パイプ６の端部の抜け出しを防止する（図５参照）。
【００３２】
本発明の第２の実施形態を図７乃至図９に基づいて説明する。第２の実施形態では、第１の実施形態における筒状部材１０が２つの部材（短筒状の拡径部１０Ａ´と短筒体１４）に分割されている。拡径部１０Ａ´は、パイプ６の端部において、開口溝Ｇ２に位置してガイドレール５の側壁５００Ａ，５１０Ａに対向するように外装されている。図９に示すように、短筒体１４は、端リンク装着部１０Ｃ´とキャップ被装着部１０Ｄ´を備えており、さらに、端リンク装着部１０Ｃ´の建物開口部側には端リンク装着部１０Ｃ´とキャップ被装着部１０Ｄ´に比べて大径の大径部１４０が形成されている。図示の例では、大径部１４０の径は、キャップ１１の外径と略同じである。
【００３３】
端リンク装着部１０Ｃ´は端リンク１２の２枚分の幅寸法を備えており、上下隣位の端リンク１２の上側の端リンクの下方の挿通孔と下側の端リンクの上方の挿通孔が共通のパイプ６を挿通させて、共通の端リンク装着部１０Ｃ´で重ね合わせるように装着される。短筒体１４をパイプ６の端部に外装し、２枚の端リンク１２を端リンク装着部１０Ｃ´に外装させ、キャップ１１をキャップ被装着部１０Ｄ´に被着することで、大径部１４０（当接部）と端キャップ１１との間に挟むようにして端リンク１２が連結される。端キャップ１１はリベット１５を用いて、短筒体１４（キャップ被装着部１０Ｄ´）、パイプ６に固定される。
【００３４】
パイプ６の端部には、側壁５００Ａ，５１０Ａ間の開口溝Ｇ２に対応して拡径部１０Ａ´が外装されているので、側壁５００Ａ，５１０Ａとパイプ６との間のクリアランスが拡径部１０Ａ´によって狭められ、パイプ６の溝幅方向の揺れ幅が小さくなるので、発生音も低減される。さらに、拡径部１０Ａ´は樹脂製なので、仮に、消音部材１６を側壁５０Ａ，５１Ａに設けない場合であっても、パイプ６とガイドレール５の側壁５００Ａ，５１０Ａが直接接触して異音を生成させることを防止できる。
【００３５】
ガイドレール５の内部において、対向状の側壁５０Ａ，５１Ａと側壁５００Ａ，５１０Ａとの間に形成された段部５３は、パイプ６の端部の抜け出し防止用の被掛止部として機能する。一方、パイプ６の端部において、短筒体１４の大径部１４０が、内部溝Ｇ１の対向状の側壁５０Ａ，５１Ａに向かって溝幅方向に延出する掛止部１３を形成している。
【００３６】
シャッターカーテンに荷重が加わって、シャッターカーテン１を構成するパイプ６の端部がガイドレール５から抜け出そうになる時には、パイプ６の端部をいずれかのガイドレール５内部の側壁５０Ａ，５００Ａ、あるいは、５１Ａ，５１０Ａに押し付けるような力が作用し、そのような力が作用しつつパイプ６の端部がガイドレール５の底から離間する方向（すなわち、建物開口部側）へ移動すると、パイプ６の端部に形成された掛止部１３が段部５３からなる被掛止部に引っ掛かって、パイプ６の端部の抜け出しを防止する（図８参照）。
【産業上の利用可能性】
【００３７】
本発明は、シャッターカーテンの少なくとも一部がパイプから構成されたシャッターに利用することができる。上記実施形態では、上側がパイプ、下側がスラットからなるシャッターについて説明したが、シャッターカーテンの少なくも一部がパイプから構成されたシャッターには、上側がスラット、下側がパイプからなるシャッター、あるいは、上側がパイプ、中間部位がスラット、下側がパイプからなるシャッター等が含まれる。
【図面の簡単な説明】
【００３８】
【図１】本発明の抜け出し防止構造が適用されるシャッター装置の全体正面図である。
【図２】図１に示すシャッターカーテンの端部構造を示す部分図であり、本発明に係る第１の実施形態を示している。
【図３】本発明の第１の実施形態に係り、パイプ端部に装着される部材のみを示しており、パイプは省略されている。
【図４】本発明の第１の実施形態に係るパイプ端部の構造を示す横断面図である。
【図５】図４に類似する図であって、パイプ端部側の掛止部がガイドレール側の被掛止部に引っ掛かった状態を示している。
【図６】本発明の第１の実施形態に係る部材（筒状部材、キャップ）の部品図である。
【図７】本発明の第２の実施形態に係るパイプ端部の構造を示す横断面図である。
【図８】図７に類似する図であって、パイプ端部側の掛止部がガイドレール側の被掛止部に引っ掛かった状態を示している。
【図９】本発明の第２の実施形態に係る部材（短筒体、キャップ）の部品図である。
【符号の説明】
【００３９】
１  パイプ構造を備えたシャッターカーテン
２  スラット構造を備えたシャッターカーテン
５  ガイドレール
５０Ａ，５１Ａ，５００Ａ，５１０Ａ  側壁
５３  段部（被掛止部）
Ｇ１  内部溝
Ｇ２  開口溝
Ｗ    開口溝幅
１０  筒状部材
１０Ａ，１０Ａ´  拡径部
１０Ｂ  テーパ部
１０Ｃ，１０Ｃ´  端リンク装着部
１０Ｄ，１０Ｄ´  キャップ被装着部
１１  キャップ
１２  端リンク
１３  掛止部
１４  短筒体
１４０  大径部
【図１】
0005221918.tif 000002
【図２】
0005221918.tif 000003
【図３】
0005221918.tif 000004
【図４】
0005221918.tif 000005
【図５】
0005221918.tif 000006
【図６】
0005221918.tif 000007
【図７】
0005221918.tif 000008
【図８】
0005221918.tif 000009
【図９】
0005221918.tif 000010